(57)【要約】【課題】 モータの数や検出素子の数を削減して、配線を含めた関連部材の数を削減することにより、部材の配置や設計の自由度の向上、メカニズム全体の小型・簡略化、およびコストダウンに貢献可能なディスクプレーヤを提供する。【解決手段】 ローディングモータ１０のシャフトに設けられたウォーム１１に常時噛み合うウォームホイール（駆動ギヤ）１２の回転方向に応じてアイドラプレート１４が回動する。アイドラプレート（選択部材）１４上には、ウォームホイール１２と常時噛み合う３つのアイドラギヤ１５〜１７が設けられる。アイドラプレート１４は、ディスク呼び込み位置で切換制御用アイドラギヤ１５を切換制御機構２に連結すると共に搬送ローラ駆動用アイドラギヤ１６を搬送ローラ駆動機構３に連結し、ピックアップ送り位置でピックアップ送り用アイドラギヤ１７をピックアップ送り機構４に連結する。【選択図】図１
2006127753.tif 000002
【特許請求の範囲】
【請求項１】
ターンテーブル上でディスクを回転駆動するディスク回転機構と、ディスクをディスク駆動部のターンテーブル上まで呼び込むディスク呼び込み機構と、光ディスク信号を読み取る光学ピックアップをディスクの半径方向に移動させるピックアップ送り機構を備えたディスクプレーヤにおいて、
単一の駆動源からの駆動力を前記ディスク呼び込み機構と前記ピックアップ送り機構に対して選択的に伝達する選択機構を有し、
前記選択機構は、前記ディスク呼び込み機構に駆動力を伝達するディスク呼び込み位置と、前記ピックアップ送り機構に駆動力を伝達するピックアップ送り位置との間で移動する選択部材を有し、
前記ピックアップ送り機構は、ピックアップ送り動作時に前記選択部材を前記ピックアップ送り位置にロックするピックアップ送り用ロック手段を有し、
前記ディスク呼び込み機構は、ディスク呼び込み動作時に前記選択部材を前記ディスク呼び込み位置にロックするディスク呼び込み用ロック手段を有し、
前記ディスク呼び込み用ロック手段は、前記ディスク呼び込み機構を構成する動作部材の一部に設けられ、前記動作部材の動作方向に形成された孔であるロック部を有し、
前記選択部材は、前記動作部材とともに前記ロック部が動作中は前記選択部材を前記ディスク呼び込み位置にロックして、前記動作部材が動作完了位置に達した場合にロックが解除されるように、前記ロック部に挿入されたピンを有することを特徴とするディスクプレーヤ。
【請求項２】
前記光学ピックアップは、前記ディスク呼び込み機構の動作時にディスクの情報記録領域の内周側の光ディスク信号を読み取り可能な内周位置よりも内側の最内周位置に位置するように構成され、この最内周位置にある場合には前記ピックアップ送り用ロック手段をロック解除側に保持し、前記内周位置およびこの内周位置よりも外側にある場合にはピックアップ送り用ロック手段を解放して、このピックアップ送り用ロック手段により選択部材をピックアップ送り位置にロックさせるように構成されたことを特徴とする請求項１記載のディスクプレーヤ。
【請求項３】
前記光学ピックアップがディスクの情報記録領域の内周側の光ディスク信号を読み取
り可能な内周位置にあることを検出すると共に、光学ピックアップの動作を利用して前記ターンテーブル上へのディスクのチャッキング完了を検出するように構成された検出素子を有することを特徴とする請求項１記載のディスクプレーヤ。
【請求項４】
前記光学ピックアップは、前記ディスク呼び込み機構の動作時に前記内周位置よりも内側の最内周位置に位置するように構成され、
前記検出素子は、前記ディスク呼び込み機構の動作終了後に前記光学ピックアップが前記最内周位置から外側に向かって移動して前記内周位置よりも外側の位置まで達する際にディスクのチャッキング完了を検出し、前記光学ピックアップがディスクの内側に向かって移動して前記内周位置に達する際にこの光学ピックアップが内周位置にあることを検出するように構成されたことを特徴とする請求項３記載のディスクプレーヤ。
【請求項５】
前記光学ピックアップは、前記最内周位置にある場合には前記ピックアップ送り用ロック手段をロック解除側に保持し、前記内周位置およびこの内周位置よりも外側にある場合にはピックアップ送り用ロック手段を解放して、このピックアップ送り用ロック手段により前記選択部材を前記ピックアップ送り位置にロックさせるように構成されたことを特徴とする請求項４記載のディスクプレーヤ。
【請求項６】
前記検出素子は、前記光学ピックアップが前記最内周位置から前記内周位置までの範
囲内にある場合に光学ピックアップによって押圧され、光学ピックアップが内周位置よりも外側に移動した場合に光学ピックアップから離れるように配置された検出スイッチであることを特徴とする請求項４記載のディスクプレーヤ。
【請求項７】
前記ピックアップ送り機構は、前記光学ピックアップの一端に係合して光学ピックア
ップを直線駆動するリードスクリューを有し、
前記検出素子は、前記光学ピックアップに対して前記リードスクリューと反対側に配置されたことを特徴とする請求項３記載のディスクプレーヤ。
【請求項８】
前記選択機構は、
前記単一の駆動源と常時連結され、駆動源からの駆動力によって回転する駆動ギヤと、  前記選択部材として設けられ、前記駆動ギヤとの間に生じるフリクションにより駆動ギヤの回転方向に応じてディスク呼び込み位置とピックアップ送り位置との間で回動するアイドラプレートと、
前記駆動ギヤと常時連結されるようにして前記アイドラプレートの一端に取り付けられ、アイドラプレートの回動に応じて駆動ギヤに対して旋回し、アイドラプレートが前記ディスク呼び込み位置にある場合には前記ディスク呼び込み機構と連結し、アイドラプレートが前記ピックアップ送り位置にある場合には前記ピックアップ送り機構と連結するアイドラギヤを有することを特徴とする請求項１記載のディスクプレーヤ。
【請求項９】
前記アイドラギヤは、前記アイドラプレートが前記ディスク呼び込み位置にある場合に前記ディスク呼び込み機構と連結するディスク呼び込み用アイドラギヤと、
前記ディスク呼び込み用アイドラギヤと別に設けられ、アイドラプレートが前記ピックアップ送り位置にある場合に前記ピックアップ送りギヤと連結するピックアップ送り用アイドラギヤを含むことを特徴とする請求項８記載のディスクプレーヤ。
【発明の詳細な説明】
【技術分野】
【０００１】
本発明は、ディスクプレーヤに係り、特に、光ディスク信号を読み取る光学ピックアップをディスクの半径方向に移動させるピックアップ送り機構を駆動するための構成の簡略化や、メカニズムの状態検出用の構成の簡略化を図るための技術に関するものである。
【背景技術】
【０００２】
ＣＤプレーヤ等の光ディスク信号を読み取るタイプのディスクプレーヤにおいては、基本的に、ターンテーブル上でディスクを回転駆動するディスク回転機構と、ディスクをディスク駆動部のターンテーブル上まで呼び込むディスク呼び込み機構と、光ディスク信号を読み取る光学ピックアップをディスクの半径方向に移動させるピックアップ送り機構、という３種類の機構を備えている。
【０００３】
従来、これらの機構の駆動は、この３種類の機構に対して個別に設けられた３種類のモータによって個別に行われている。すなわち、まず、ディスク回転機構は、本質的に即時応答性と高速回転が要求されることから、ターンテーブルと直結されたディスク回転機構用モータによって直接駆動されるようになっている。
【０００４】
また、ディスク呼び込み機構は、ディスクをターンテーブルの面に対して水平方向および垂直方向に順次動作させる関係から、一般的に、ディスクをターンテーブル上まで水平搬送するための搬送ローラとディスクをターンテーブル上にチャッキングするためのクランパ部材という２種類の動作部材と、このような２種類の動作部材の切換制御を行うためのシフトプレートを備えている。そして、ディスク呼び込み機構用モータによって、シフトプレートを直線駆動して搬送ローラとクランパ部材の切換制御を行うと共に、搬送ローラを回転駆動するようになっている。
【０００５】
さらに、ピックアップ送り機構は、本質的に高精度が要求されることから、光学ピックアップと直接係合するリードスクリューによって光学ピックアップを正確に直線移動させるように構成されており、このリードスクリューが、その近傍に配置されたピックアップ送り機構用モータによって回転駆動されるようになっている。
【０００６】
一方、以上のような各機構の駆動切換や制御回路・信号処理回路のモード切換を適切なタイミングで円滑に行うために、ディスクプレーヤには、検出センサや検出スイッチ等の複数種類の検出素子が使用されている。具体的には、ディスクの挿入を検出するためのディスク検出素子や、ディスク呼び込み機構のチャッキング完了を検出するためのチャッキング完了検出素子、および光学ピックアップが内周位置にあることを検出するための内周検出素子等が設けられている。また、これらの検出素子は、各機構の駆動切換用の起動・停止指令として、例えば、次のように使用される。
【０００７】
まず、ディスク検出素子によって得られた信号は、ディスク挿入時におけるディスク呼び込み機構用モータの起動指令や、ディスクイジェクト動作時におけるディスク呼び込み機構用モータの停止指令等に使用される。また、チャッキング完了検出素子によって得られた信号は、ディスクローディング動作からディスク再生動作への移行時におけるピックアップ送り機構用モータの起動指令、ディスク呼び込み機構用モータの停止指令等に使用される。さらに、内周検出素子によって得られた信号は、ディスク再生動作の開始時におけるディスク回転機構用モータの起動信号や、ディスク再生動作からディスクイジェクト動作への移行時におけるディスク回転機構用モータの停止信号およびディスク呼び込み機構用モータの起動指令等に使用される。
【０００８】
ここで、内周検出素子が対象としている光学ピックアップの内周位置とは、ディスクの情報記録領域の内周領域（リードインエリア）に記録された管理情報であるＴＯＣ（Table of Contents ）情報を読み取り可能な位置である。すなわち、光学ピックアップによるディスク再生動作に当たっては、最初に、この内周位置においてディスクのリードインエリアに記録されたＴＯＣ情報を読み込み、このＴＯＣ情報に基づいて、ディスク再生動作を開始するようになっている。内周検出素子は、光学ピックアップがこのような内周位置にあることを検出するために設けられている。
【発明の開示】
【発明が解決しようとする課題】
【０００９】
ところで、上記のような従来のディスクプレーヤにおいては、モータの数や検出素子の数が多く、構成が複雑化するという問題点がある。
【００１０】
すなわち、前述したように、ディスク回転機構、ディスク呼び込み機構、ピックアップ送り機構、という３種類の機構に対して、それぞれ個別のモータを使用する構成では、３個のモータが必要である。メカニズムにおいて、このような３個のモータの使用は、モータの支持部材や駆動力伝達部材を含めて部品点数を増大させ、構成を複雑化させる上、大きなスペースを占有して、周辺の部材の配置や設計を制限し、メカニズム全体を大型・複雑化させる要因となっている。また、各モータのそれぞれに電力供給を行うと共に個別に制御する関係から、配線も増えてしまう。さらに、コスト面においても、メカニズム全体におけるモータの比重はかなり大きなものであるため、３個のモータの使用は、コストダウンを図る上でも障害となっている。
【００１１】
一方、以上のような３種類の機構の駆動を個別のモータで行っている関係から、前述したように、機構の駆動切換に関して、少なくとも、ディスク検出素子、チャッキング完了検出素子、内周検出素子という３種類の検出素子が必要である。このような３種類の検出素子の使用は、検出素子用の配線を増やしてしまう。また、検出素子は、モータに比べれば占有スペースは小さいものの、その数の増大は、周辺の部材の配置や設計を制限し、メカニズム全体を複雑化させる要因となる。
【００１２】
本発明は、以上のような従来技術の問題点を解決するために提案されたものであり、その目的は、モータの数や検出素子の数を削減して、配線を含めた関連部材の数を削減することにより、部材の配置や設計の自由度の向上、メカニズム全体の小型・簡略化、およびコストダウンに貢献可能なディスクプレーヤを提供することである。
【課題を解決するための手段】
【００１３】
本発明は、上記の課題を解決するために、ディスク呼び込み機構とピックアップ送り機構を単一の駆動源によって選択的に駆動することにより、駆動源の数を削減したものである。
【００１４】
すなわち、本発明のディスクプレーヤは、基本的に、ターンテーブル上でディスクを回転駆動するディスク回転機構と、ディスクをディスク駆動部のターンテーブル上まで呼び込むディスク呼び込み機構と、光ディスク信号を読み取る光学ピックアップをディスクの半径方向に移動させるピックアップ送り機構を備える。
【００１５】
請求項１記載の発明は、以上のようなディスクプレーヤにおいて、単一の駆動源からの駆動力をディスク呼び込み機構とピックアップ送り機構に対して選択的に伝達する選択機構を有することを特徴としている。この構成によれば、選択機構により、単一の駆動源の駆動力を利用してディスク呼び込み機構とピックアップ送り機構の両方を駆動することができるため、ディスク呼び込み機構とピックアップ送り機構を個別の駆動源によって駆動する場合に比べて駆動源の数を削減することができる。
【００１６】
また、請求項１記載の発明は、選択機構、ディスク呼び込み機構、およびピックアップ送り機構が次のように構成されたことを特徴としている。まず、選択機構は、ディスク呼び込み機構に駆動力を伝達するディスク呼び込み位置と、ピックアップ送り機構に駆動力を伝達するピックアップ送り位置との間で移動する選択部材を有する。そして、ディスク呼び込み機構は、ディスク呼び込み動作時に選択部材をディスク呼び込み位置にロックするディスク呼び込み用ロック手段を有し、ピックアップ送り機構は、ピックアップ送り動作時に選択部材をピックアップ送り位置にロックするピックアップ送り用ロック手段を有する。この構成によれば、ディスクローディング・イジェクト動作時においては、ディスク呼び込み用ロック手段によって選択部材をディスク呼び込み位置にロックしてディスク呼び込み機構と駆動側との連結状態を確実に維持することができ、ディスク再生動作や光学ピックアップの復帰動作時においては、ピックアップ送り用ロック手段によって選択部材をピックアップ送り位置にロックしてピックアップ送り機構と駆動側との連結状態を確実に維持することができる。
【００１７】
また、請求項１記載の発明は、ディスク呼び込み用ロック手段は、ディスク呼び込み機構を構成する動作部材の一部に設けられ、前記動作部材の動作方向に形成された孔であるロック部を有し、前記選択部材は、前記動作部材とともに前記ロック部が動作中は前記選択部材を前記ディスク呼び込み位置にロックして、前記動作部材が動作完了位置に達した場合にロックが解除されるように、前記ロック部に挿入されたピンを有することを特徴としている。この構成によれば、ディスクローディング・イジェクト動作時において、ディスク呼び込み機構を構成する動作部材の動作中において、ピンがロック部内を移動して、選択部材をディスク呼び込み位置にロックしてディスク呼び込み機構と駆動側との連結状態を確実に維持することができる。そして、この動作部材の動作の終了によってロックを解除して、ディスク呼び込み機構を駆動側から切り離し可能にすると共に、選択部材をピックアップ送り位置へ移動可能にすることができる。
【００１８】
請求項２記載の発明は、請求項１記載のディスクプレーヤにおいて、光学ピックアップが次のように構成されたことを特徴としている。すなわち、光学ピックアップは、まず、ディスク呼び込み機構の動作時にディスクの情報記録領域の内周側の光ディスク信号を読み取り可能な内周位置よりも内側の最内周位置に位置するように構成される。そして、最内周位置にある場合にはピックアップ送り用ロック手段をロック解除側に保持し、内周位置およびこの内周位置よりも外側にある場合にはピックアップ送り用ロック手段を解放して、このピックアップ送り用ロック手段により選択部材をピックアップ送り位置にロックさせるように構成される。この構成によれば、ディスク再生動作や光学ピックアップの復帰動作時において、ピックアップ送り用ロック手段によって選択部材をピックアップ送り位置にロックしてピックアップ送り機構と駆動側との連結状態を確実に維持することができる。そして、この光学ピックアップが復帰動作時において内周位置よりも内側に達した時点でロックを解除して、ピックアップ送り機構を駆動側から切り離し可能にすると共に、選択部材をディスク呼び込み位置へ移動可能にすることができる。
【００１９】
請求項３記載の発明は、請求項１記載のディスクプレーヤにおいて、光学ピックアップがディスクの情報記録領域の内周側の光ディスク信号を読み取り可能な内周位置にあることを検出すると共に、光学ピックアップの動作を利用して前記ターンテーブル上へのディスクのチャッキング完了を検出するように構成された検出素子を有することを特徴としている。この構成によれば、単一の検出素子により、ディスク呼び込み機構のチャッキング完了検出とピックアップ内周検出の両方を行うことができるため、個別の検出素子を設けた場合に比べて検出素子の数を削減することができる。
【００２０】
請求項４記載の発明は、請求項３記載のディスクプレーヤにおいて、光学ピックアップと検出素子が次のように構成されたことを特徴としている。まず、光学ピックアップは、ディスク呼び込み機構の動作時に内周位置よりも内側の最内周位置に位置するように構成される。そして、検出素子は、ディスク呼び込み機構の動作終了後に光学ピックアップが最内周位置から外側に向かって移動して内周位置よりも外側の位置まで達する際にディスクのチャッキング完了を検出し、光学ピックアップがディスクの内側に向かって移動して内周位置に達する際にこの光学ピックアップが内周位置にあることを検出するように構成される。この構成によれば、ディスクローディング動作からディスク再生動作への移行時において、光学ピックアップを内周位置より若干外側の位置まで移動させてチャッキング完了検出を行った後、光学ピックアップを再び内周位置まで戻してピックアップ内周検出を行うことができる。したがって、光学ピックアップの外側への移動時に、内周位置近傍のわずかな距離の往復動作を追加するだけで、チャッキング完了検出とピックアップ内周検出の両方を確実に行うことができる。
【００２１】
請求項５記載の発明は、請求項４記載のディスクプレーヤにおいて、光学ピックアップが次のように構成されたことを特徴としている。すなわち、光学ピックアップは、最内周位置にある場合にはピックアップ送り用ロック手段をロック解除側に保持し、内周位置およびこの内周位置よりも外側にある場合にはピックアップ送り用ロック手段を解放して、このピックアップ送り用ロック手段により選択部材をピックアップ送り位置にロックさせるように構成される。この構成によれば、ディスクローディング・イジェクト動作時においては、ディスク呼び込み用ロック手段によって選択部材をディスク呼び込み位置にロックして駆動側とディスク呼び込み機構との連結状態を確実に維持することができ、ディスク再生動作や光学ピックアップの復帰動作時においては、ピックアップ送り用ロック手段によって選択部材をピックアップ送り位置にロックして駆動側とピックアップ送り機構との連結状態を確実に維持することができる。また、ディスク再生動作の終了時に、光学ピックアップの動作を利用して、駆動側からピックアップ送り機構を確実に切り離すことができる。その一方で、ディスクローディング動作の終了後に光学ピックアップが内周位置に達した後は、ピックアップ送り用ロック手段によって駆動側とピックアップ送り機構との連結状態を確実に維持することができるため、チャッキング完了検出後にピックアップ内周検出のために光学ピックアップを内周位置まで復帰させても、ピックアップ送り機構が駆動側から不都合に切り離されることはない。したがって、ピックアップ内周検出に続いて、光学ピックアップを確実に外側へ移動させることができ、ディスク再生動作を良好に開始することができる。
【００２２】
請求項６記載の発明は、請求項４記載のディスクプレーヤにおいて、検出素子が検出スイッチであることを特徴としている。そして、この検出スイッチは、光学ピックアップが最内周位置から内周位置までの範囲内にある場合に光学ピックアップによって押圧され、光学ピックアップが内周位置よりも外側に移動した場合に光学ピックアップから離れるように配置される。この構成によれば、光学ピックアップの動作位置を検出スイッチによって機械的に確実に検出できる。
【００２３】
請求項７記載の発明は、請求項３記載のディスクプレーヤにおいて、ピックアップ送り機構が、光学ピックアップの一端に係合して光学ピックアップを直線駆動するリードスクリューを有し、検出素子が、光学ピックアップに対してリードスクリューと反対側に配置されたことを特徴としている。この構成によれば、光学ピックアップの周辺でも比較的空きスペースのある、リードスクリューと反対側に検出素子を設けているため、検出素子の配置の自由度が高い上、他の部材の配置や設計にほとんど影響を与えることがない。
【００２４】
請求項８記載の発明は、請求項１記載のディスクプレーヤにおいて、選択機構が、次のような駆動ギヤ、アイドラプレート、およびアイドラギヤを有することを特徴としている。まず、駆動ギヤは、単一の駆動源と常時連結され、駆動源からの駆動力によって回転するように構成される。そして、アイドラプレートは、前述したような選択部材として設けられ、駆動ギヤとの間に生じるフリクションにより駆動ギヤの回転方向に応じてディスク呼び込み位置とピックアップ送り位置との間で回動するように構成される。また、アイドラギヤは、駆動ギヤと常時連結されるようにしてアイドラプレートの一端に取り付けられ、アイドラプレートの回動に応じて駆動ギヤに対して旋回し、アイドラプレートがディスク呼び込み位置にある場合にはディスク呼び込み機構と連結し、アイドラプレートがピックアップ送り位置にある場合にはピックアップ送り機構と連結するように構成される。この構成によれば、駆動ギヤ、アイドラプレート、およびアイドラギヤを使用した簡単な構成により、アイドラプレートの位置を切り換えることにより、その位置に応じて、ディスク呼び込み機構とピックアップ送り機構のいずれか一方を駆動源に確実に連結することができる。
【００２５】
請求項９記載の発明は、請求項８記載のディスクプレーヤにおいて、アイドラギヤが、次のようなディスク呼び込み用アイドラギヤとピックアップ送り用アイドラギヤを含むことを特徴としている。まず、ディスク呼び込み用アイドラギヤは、アイドラプレートがディスク呼び込み位置にある場合にディスク呼び込み機構と連結するように構成される。そして、ピックアップ送り用アイドラギヤは、ディスク呼び込み用アイドラギヤと別に設けられ、アイドラプレートがピックアップ送り位置にある場合にピックアップ送りギヤと連結するように構成される。この構成によれば、ディスク呼び込み機構とピックアップ送り機構に対して、それぞれ好都合な位置に個別のアイドラギヤを配置することができるため、設計の自由度を向上できる。
【発明の効果】
【００２６】
以上説明したように、本発明によれば、ディスク呼び込み機構とピックアップ送り機構を単一の駆動源によって選択的に駆動することにより、駆動源の数を削減することができる。また、単一の検出素子によってチャッキング完了検出とピックアップ内周検出の両方を行うことにより、検出素子の数を削減することができる。したがって、モータの数や検出素子の数を削減して、配線を含めた関連部材の数を削減することができ、部材の配置や設計の自由度の向上、メカニズム全体の小型・簡略化、およびコストダウンに貢献可能なディスクプレーヤを提供することができる。
【発明を実施するための最良の形態】
【００２７】
以下には、本発明を適用した実施の形態について、図面を参照して具体的に説明する。
【００２８】
［１．第１の実施の形態］
［１−１．構成］
図１は、本発明を適用した第１の実施の形態に係るディスクプレーヤの初期状態を示す図であり、（Ａ）は平面図、（Ｂ）は側面図である。なお、図中においては、図面の簡略化の観点から本発明に係る主要な部材のみを示している。
【００２９】
この図１に示すように、本実施の形態に係るディスクプレーヤにおいて、選択機構１は、切換制御機構２と搬送ローラ駆動機構３、およびピックアップ送り機構４という３つの機構に対して、ローディングモータ（駆動源）１０の駆動力を選択的に伝達するために設けられている。ここで、切換制御機構２と搬送ローラ駆動機構３は共にディスク呼び込み機構の構成要素であるが、選択機構１から個別に駆動力を伝達されるように構成されているため、便宜上の理由から別個の機構として説明する。なお、図中５は、これらの機構１〜４およびローディングモータ１０を支持するベースプレートである。
【００３０】
そして、このようにベースプレート５上に構成されたメカニズムは、ディスク再生時には図示していないシャーシに対してフローティング状態で支持されるようになっており、図１の（Ａ）に示すような初期状態においては、ベースプレート５に設けられたクランパロックプレート６およびフローティングロックプレート７，８という３つのロックプレート６〜８によって、シャーシに対して定位置に固定されるようになっている。また、図中において、ベースプレート５は、他の部材と識別するために２点鎖線で示しており、図面の簡略化の観点から適宜省略している。さらに、図中９は、ターンテーブルに直結されてディスクを回転駆動するためのディスクドライブモータである。以下には、選択機構１を初めとする各機構の詳細な構成について説明する。
【００３１】
［選択機構］
図１の（Ａ）に示すように、ローディングモータ１０の近傍には、ローディングモータ１０のシャフトに設けられたウォーム１１に常時噛み合うウォームホイール（駆動ギヤ）１２が配置されている。このウォームホイール１２は、一体化された大小のギヤから構成されており、その大径ギヤによってウォーム１１と常時噛み合っている。また、ウォームホイール１２と重なる位置には、ウォームホイール１２の軸１３に対して回動可能なアイドラプレート（選択部材）１４が設けられており、アイドラプレート１４とウォームホイール１２との間に若干のフリクションが作用するようになっている。
【００３２】
ここで、アイドラプレート１４は、ウォームホイール１２と重なる略四角形部分とこの略四角形部分から延設された突出部分とから構成されている。このアイドラプレート１４は、その略四角形部分の一つのコーナ部で軸１３に装着されており、残る３つのコーナ部には、切換制御機構２、搬送ローラ駆動機構３、およびピックアップ送り機構４の各々に駆動力を伝達するための３つのアイドラギヤ１５〜１７がそれぞれ取り付けられている。これらのアイドラギヤ１５〜１７の各々は、ウォームホイール１２と常時噛み合っており、アイドラプレート１４の回動に応じて、ウォームホイール１２に対して旋回し、対応する機構と連結するように構成されている。
【００３３】
すなわち、アイドラプレート１４は、図１の（Ａ）に示すように、切換制御用アイドラギヤ１５を切換制御機構２に連結すると共に搬送ローラ駆動用アイドラギヤ１６を搬送ローラ駆動機構３に連結するディスク呼び込み位置と、図７の（Ａ）に示すように、ピックアップ送り用アイドラギヤ１７をピックアップ送り機構４に連結するピックアップ送り位置との間で回動するようになっている。なお、アイドラプレート１４の突出部分の先端には、位置規制用のピン１４ａが取り付けられている。
【００３４】
［切換制御機構］
図１の（Ａ）に示すように、切換制御機構２は、まず、前述した選択機構１の切換制御用アイドラギヤ１５と噛み合い可能な切換制御ギヤ２１を備えている。この切換制御ギヤ２１の水平方向の回転駆動力は、交差するギヤを含む複数のギヤからなる駆動力変換機構２２を介して垂直方向の回転駆動力に変換され、交差するギヤの一方と一体化されたピニオン２３に伝達されるようになっている。図１の（Ｂ）に示すように、このピニオン２３は、ラックプレート２４を介して、切換制御用のシフトプレート（切換制御部材）２５を直線駆動するようになっている。
【００３５】
ここで、ラックプレート２４は、シフトプレート２５の一部と重なるように配置されており、両部材は、一対のガイド溝２４ａと一対のピン２５ａの組み合わせからなるガイド構造によって若干の相対移動が可能になっている。また、ラックプレート２４は、シフトプレート２５との間に設けられたスプリング２４ｂによって、シフトプレート２５と重なる側に付勢されている。さらに、図中２４ｃは、ラックプレート２４のトリガ係合部である。すなわち、ラックプレート２４は、初期位置においては、図１の（Ｂ）に示すように、ピニオン２３との噛み合いが外れた状態にあり、そのトリガ係合部２４ｃがディスクの水平搬送完了時のトリガで押圧されることにより、図中左側に移動してピニオン２３に噛み合うようになっている。
【００３６】
［シフトプレートによる制御構成］
シフトプレート２５には、図１の（Ｂ）に示すように、搬送ローラ部材３０を切換制御するための第１のカム孔２５ｂと、図１の（Ａ）に示すように、前述したクランパロックプレート６を介してクランパ部材２６を切換制御するための第２のカム孔２５ｃが設けられると共に、アイドラプレート１４を位置規制するためのロック孔（ディスク呼び込み用ロック手段）２５ｄが設けられている。
【００３７】
ここで、クランパ部材２６は、ディスクをターンテーブル上にチャッキングするための部材である。このクランパ部材２６は、図１の（Ｂ）に示すように、軸２６ａによって上下方向に回動可能に設けられており、図示していないスプリングによってチャッキング側である下方に付勢されている。また、クランパロックプレート６は、前述したように、ベースプレート５をシャーシに対して定位置に固定すると共に、クランパ部材２６を上方のチャッキング解除位置にロックするための部材である。このクランパロックプレート６は、図１の（Ａ）に示すように、軸６ａによって回動可能に設けられており、図示していないスプリングによって解除側に付勢されると共に、その一部にはクランパ部材２６の位置規制用のピン６ｂが取り付けられている。
【００３８】
さらに、搬送ローラ部材３０は、ディスクのローディング、イジェクトを行うためにローラを回転させる部材であり、軸３０ａによって回動可能に設けられており、図示していないスプリングによってディスク当接側である上方に付勢されると共に、その一部には位置規制用のピン３０ｂが取り付けられている。
【００３９】
以下には、シフトプレート２５による、搬送ローラ部材３０、クランパ部材２６、およびアイドラプレート１４の制御構成について個別に説明する。
【００４０】
まず、シフトプレート２５の第１のカム孔２５ｂ内には、搬送ローラ部材３０のピン３０ｂが挿入されている。そして、シフトプレート２５は、図１の（Ｂ）に示すような初期位置においては、搬送ローラ部材３０を上方のディスク当接位置に保持し、この状態からの前進動作（図中左側への動作）に伴い搬送ローラ部材３０を解除側に回動させ、図４の（Ｂ）に示すような動作途中において、搬送ローラ部材３０を最終的な解除位置まで移動させた後は、搬送ローラ部材３０をその解除位置に保持するようになっている。
【００４１】
さらに、シフトプレート２５は、複数のリンクからなるリンク機構２７を介して、ベースプレート５の反対側に設けられたサブシフトプレート２８と連結され、同期して同方向に移動するようになっている。図示していないが、このサブシフトプレート２８にも、シフトプレート２５の第１のカム孔２５ｂと同様のカム孔が設けられており、搬送ローラ部材３０の他端に設けられた同様のピンが挿入されている。そして、このサブシフトプレート２８とシフトプレート２５によって、搬送ローラ部材３０の両端を支持して、初期位置からの前進動作によって、搬送ローラ部材３０を解除側に回動させ、最終的に搬送ローラ部材３０を解除位置に保持するようになっている。
【００４２】
また、シフトプレート２５の第２のカム孔２５ｃ内には、クランパロックプレート６のピン６ｂが挿入されている。そして、シフトプレート２５は、図１の（Ａ）に示すような初期位置においては、クランパロックプレート６を初期の回動位置（フローティングロック位置）に保持し、図１の（Ｂ）に示すように、このクランパロックプレート６をクランパ部材２６の下面に当接させてクランパ部材２６を上方のチャッキング解除位置にロックするようになっている。また、シフトプレート２５は、図５の（Ａ）に示すような前進動作後期において、クランパロックプレート６の回動を開始させてフローティングロックを解除した後、図６の（Ａ）に示すようなチャッキング完了位置において、クランパロックプレート６をチャッキング側の回動位置に移動させ、図６の（Ｂ）に示すように、このクランパロックプレート６からクランパ部材２６を解放して、図示していないスプリングの付勢力により、下方のチャッキング位置に移動させるようになっている。
【００４３】
一方、シフトプレート２５のロック孔２５ｄ内には、前述したアイドラプレート１４のピン１４ａが挿入されている。そして、シフトプレート２５は、図１の（Ａ）に示すような初期位置から図６の（Ａ）に示すような呼び込み完了位置に至るまでの間、アイドラプレート１４をディスク呼び込み位置にロックし、この後に、アイドラプレート１４を解放するようになっている。
【００４４】
なお、シフトプレート２５は、図１の（Ａ）に示すような初期位置においては、前述したように、その第２のカム孔２５ｃによってクランパロックプレート６をフローティングロック位置に保持すると共に、リンク機構２７を介してフローティングロックプレート７，８をフローティングロック位置に保持するようになっている。ここで、フローティングロックプレート７，８は、それぞれ、軸７ａ，８ａによって回動可能に設けられており、図１の（Ａ）に示すようなフローティングロック位置と、図６の（Ａ）に示すような解除位置との間で回動するようになっている。これに対して、リンク機構２７には、フローティングロックプレート７，８の縁部に当接して個別に位置規制するための２対の位置規制部２７ａ〜２７ｄがそれぞれ取り付けられている。
【００４５】
すなわち、シフトプレート２５は、図１の（Ａ）に示すような初期位置ではロックプレート６〜８をフローティングロック状態に保持し、図４の（Ａ）に示すような前進動作途中において、リンク機構２７の位置規制部２７ａ，２７ｃによってフローティングロックプレート７，８の回動を開始させてベースプレート５の片側のフローティングロックを解除するようになっている。そして、シフトプレート２５は、さらに、図５の（Ａ）に示すような前進動作後期において、クランパロックプレート６の回動を開始させ、ベースプレート５の反対側のフローティングロックを解除するようになっている。
【００４６】
［搬送ローラ駆動機構］
本実施の形態においては、ディスクプレーヤのディスク挿入口側（図中左側）に配置された搬送ローラ部材３０を回転させて水平方向におけるディスクの挿入と排出を行うための駆動力系統が、切換制御機構２の駆動力系統から独立した搬送ローラ駆動機構３として設けられている。
【００４７】
図１の（Ａ）に示すように、搬送ローラ駆動機構３は、まず、前述した選択機構１の搬送ローラ駆動用アイドラギヤ１６と噛み合い可能な搬送ローラ駆動ギヤ３１を備えている。この搬送ローラ駆動ギヤ３１の水平方向の回転駆動力は、交差するギヤとシャフトからなる駆動力変換機構３２を介して垂直方向の回転駆動力に変換され、シャフトと一体化されたギヤ３３に伝達されるようになっている。図１の（Ｂ）に示すように、このギヤ３３の上方には、このギヤ３３に常時噛み合う連結ギヤ３４が設けられており、この連結ギヤ３４が搬送ローラ部材３０の搬送ギヤ３０ｃと噛み合い可能になっている。
【００４８】
ここで、搬送ギヤ３０ｃは、図示していない搬送ローラと同軸に設けられ、この搬送ローラと一体に動作するように構成されており、図１の（Ｂ）に示すように搬送ローラ部材３０がディスク当接位置にある場合に、連結ギヤ３４と噛み合うようになっている。そして、搬送ギヤ３０ｃは、連結ギヤ３４を介して伝達されるローディングモータ１０の駆動力により回転し、この搬送ギヤ３０ｃと一体に動作する搬送ローラ（図示せず）を、ローディング側（図中時計方向）またはイジェクト側（図中反時計方向）に回転させるようになっている。
【００４９】
［ピックアップ送り機構］
図１の（Ａ）に示すように、光ディスク信号を読み取る光学ピックアップ４０をディスクの半径方向に移動させるピックアップ送り機構４は、まず、前述した選択機構１のピックアップ送り用アイドラギヤ１７と噛み合い可能なピックアップ送りギヤ４１を備えている。このピックアップ送りギヤ４１の水平方向の回転駆動力は、交差するヘリカルギヤからなる駆動力変換機構４２を介して直交方向の回転駆動力に変換され、リードスクリュー４３に伝達されるようになっている。
【００５０】
そして、光学ピックアップ４０は、その一端でこのリードスクリュー４３と直接係合し、リードスクリュー４３の回転によってこのリードスクリュー４３の軸方向に直線駆動されるようになっている。また、光学ピックアップ４０の他端は、スライドガイド４４によってスライド可能に支持されている。なお、光学ピックアップ４０の動作範囲は、図１〜図７の（Ａ）に示すような最内周位置から、図８の（Ａ）に示すような内周位置を経て、図９の（Ａ）に示すような最外周位置までの間である。
【００５１】
ここで、内周位置とは、前述したように、光学ピックアップ４０がディスク再生動作に当たって常に最初に読み取りを開始するように設定された位置であり、ディスクの信号記録領域の内周領域（リードインエリア）に記録された管理情報であるＴＯＣ情報をピックアップレンズ４０ａによって読み取り可能な位置である。そして、最内周位置とは、この内周位置よりもさらに内側の、光ディスク信号を読み取り不可能な位置である。
【００５２】
さらに、ピックアップ送り機構４には、アイドラプレート１４のピン１４ａに係合してアイドラプレート１４をピックアップ送り位置にロックするためのアイドラロックプレート（ピックアップ送り用ロック手段）４５が設けられている。このアイドラロックプレート４５は、光学ピックアップ４０と平行に移動可能に設けられ、スプリング４６によってロック側に付勢されると共に、光学ピックアップ４０の一部と係合するように構成されている。
【００５３】
ここで、アイドラロックプレート４５は、光学ピックアップ４０が図１〜図７の（Ａ）に示すような最内周位置にある場合に、この光学ピックアップ４０と係合して解除位置に保持されるようになっている。そして、アイドラロックプレート４５は、光学ピックアップ４０がこのような最内周位置から図８の（Ａ）に示すような内周位置に移動する際に、光学ピックアップ４０から解放され、スプリング４６の付勢力によってロック側に移動し、アイドラプレート１４のピン１４ａと係合してアイドラプレート１４をピックアップ送り位置にロックするようになっている。
【００５４】
［１−２．作用］
以上のような構成を有する本実施の形態に係るディスクプレーヤにおいては、本発明に係る選択機構１により、単一のローディングモータ１０の駆動力を利用して、切換制御機構２と搬送ローラ駆動機構３からなるディスク呼び込み機構と、ピックアップ送り機構４の両方を駆動することができる。以下には、図１〜図９を参照しながら、初期状態、ディスクローディング動作から再生動作に至るまでの一連の動作、およびイジェクト動作について順次説明する。
【００５５】
［初期状態］
図１の（Ａ）に示すように、初期状態においては、最内周位置にある光学ピックアップ４０によってアイドラロックプレート４５が解除位置に保持されており、選択機構１のアイドラプレート１４のピン１４ａが切換制御機構２のシフトプレート２５のロック孔２５ｄのロック部にあるため、アイドラプレート１４がディスク呼び込み位置にロックされている。その結果、切換制御用アイドラギヤ１５と切換制御ギヤ２１が噛み合うと共に、搬送ローラ駆動用アイドラギヤ１６と搬送ローラ駆動ギヤ３１が噛み合っている。
【００５６】
この場合、搬送ローラ駆動機構３の搬送ローラ部材３０は、シフトプレート２５の第１のカム孔２５ｂによって上方のディスク当接位置にあり、その搬送ギヤ３０ｃが連結ギヤ３４と噛み合っているため、搬送ギヤ３０ｃは搬送ローラ駆動ギヤ３１と連結されている。その一方で、切換制御機構２においては、ラックプレート２４とピニオン２３との噛み合いが外れているため、シフトプレート２５は切換制御ギヤ２１と切り離された状態にある。
【００５７】
また、クランパロックプレート６およびフローティングロックプレート７，８も、シフトプレート２５が初期位置にあることから、フローティングロック位置に保持されている。そして、クランパロックプレート６がフローティングロック位置に保持されていることから、クランパ部材２６も上方のチャッキング解除位置にロックされている。
【００５８】
［ディスクローディング・再生動作］
（１）ディスクの水平搬送
以上のような初期状態において、ディスクプレーヤのディスク挿入口側（図中左側）からディスクが挿入されると、ディスク検出素子等によるローディングモータの起動指令によって、ローディングモータ１０が起動する。このローディングモータ１０の駆動力によって、ウォームホイール１２が図中反時計方向に回転し、選択機構１の搬送ローラ駆動用アイドラギヤ１６の図中時計方向の回転を介して搬送ローラ駆動機構３の搬送ローラ駆動ギヤ３１が図中反時計方向に回転し、搬送ローラ駆動ギヤ３１と連結状態にある搬送ギヤ３０ｃが図中時計方向に回転する。この結果、搬送ギヤ３０ｃと一体に動作する搬送ローラ（図示せず）がローディング側（図中時計方向）に回転し、挿入されたディスクをターンテーブル上まで水平搬送する。また、ローディングモータ１０の駆動力は、選択機構１の切換制御用アイドラギヤ１５を介して切換制御機構２の切換制御ギヤ２１にも伝達されるため、ディスクの水平搬送時には、切換制御ギヤ２１と常時連結状態にあるピニオン２３も回転している。
【００５９】
（２）シフトプレート起動・搬送ローラ解除
以上のような搬送ローラ駆動機構３の動作によってディスクがターンテーブル上まで搬送されると、ディスクの水平搬送完了時の位置決めに関連する動作部材のトリガによってラックプレート２４が図中左側に移動してピニオン２３に噛み合う。この時点で、ピニオン２３は、ローディングモータ１０の駆動力によって図中反時計方向に回転しているため、このピニオン２３の回転によってラックプレート２４は図中左側に向かって前進を開始する。この場合、ラックプレート２４は、一定ストローク、すなわち、ガイド溝２４ａとピン２５ａによって規定されるシフトプレート２５との相対移動距離だけ前進して、シフトプレート２５と係合する（図２）。
【００６０】
この後は、ラックプレート２４とシフトプレート２５が一体的に前進し、シフトプレート２５における第１のカム孔２５ｂのカム部によって搬送ローラ部材３０のピン３０ｂが下方に押圧されるため、搬送ローラ部材３０が解除側である下方への回動を開始する（図３）。なお、アイドラプレート１４は、シフトプレート２５の動作中において、そのピン１４ａがロック孔２５ｄのロック部内を移動するため、ディスク呼び込み位置に確実にロックされる。
【００６１】
（３）フローティングロック解除・チャッキング開始
図３の状態からシフトプレート２５が前進して動作ストロークのほぼ中間点に達すると、図４の（Ｂ）に示すように、搬送ローラ部材３０のピン３０ｂがシフトプレート２５の第１のカム孔２５ｂ内におけるカム部と逃げ部との切換点に達し、搬送ローラ部材３０が最終的な解除位置まで達する。この後は、搬送ローラ部材３０のピン３０ｂがシフトプレート２５の第１のカム孔２５ｂの逃げ部内で水平移動するため、搬送ローラ部材３０は最終的な解除位置に保持される。また、このように搬送ローラ部材３０が最終的な解除位置まで達する時点では、フローティングロックプレート７，８は、リンク機構２７の位置規制部２７ａ，２７ｃによって押圧されて回動を開始しており、ベースプレート５の片側のフローティングロックが解除される。その一方で、クランパロックプレート６は、依然としてフローティングロック位置に保持されており、クランパ部材２６は上方のチャッキング解除位置にロックされている。
【００６２】
図４の状態からさらにシフトプレート２５が前進して動作の後半に入ると、図５の（Ａ）に示すように、シフトプレート２５の第２のカム孔２５ｃによってクランパロックプレート６のピン６ｂが押圧されてクランパロックプレート６が回動を開始するため、ベースプレート５のフローティングロックが完全に解除される。同時に、クランパロックプレート６の回動に伴いこのクランパロックプレート６がクランパ部材２６の底部の傾斜面に沿って移動するため、クランパ部材２６は、スプリングの付勢力によりチャッキング側である下方に向かって回動を開始する。
【００６３】
（４）チャッキング完了
図５の状態からさらにシフトプレート２５が前進して最前位置に達すると、図６の（Ａ）に示すように、クランパロックプレート６は、最終的な解除位置に達し、図６の（Ｂ）に示すようにクランパ部材２６を完全に解放するため、クランパ部材２６は、下方のチャッキング位置に達し、ディスクをターンテーブル上にチャッキングする。また、この時点では、アイドラプレート１４のピン１４ａがシフトプレート２５のロック孔２５ｄ内におけるロック部と逃げ部との切換点に達するため、アイドラプレート１４は、ピックアップ送り位置側に回動可能な状態となる。
【００６４】
（５）駆動切換
以上のようにシフトプレート２５が最前位置に達した後のウォームホイール１２の図中反時計方向への回転に伴い、このウォームホイール１２とアイドラプレート１４の間のフリクションにより、アイドラプレート１４が図中反時計方向へ回動し、そのピン１４ａがシフトプレート２５のロック孔２５ｄ内の逃げ部内を移動する。このアイドラプレート１４の回動に伴い、切換制御用アイドラギヤ１５が切換制御ギヤ２１から切り離されると共に、搬送ローラ駆動用アイドラギヤ１６が搬送ローラ駆動ギヤ３１から切り離される。そして、アイドラプレート１４が、ピックアップ送り位置に達すると、図７の（Ａ）に示すように、ピックアップ送り用アイドラギヤ１７がピックアップ送り機構４のピックアップ送りギヤ４１と噛み合う。
【００６５】
（６）光学ピックアップの起動
以上のような駆動切換の結果、ローディングモータ１０の駆動力によるウォームホイール１２の図中反時計方向への回転に伴い、ピックアップ送り用アイドラギヤ１７が図中時計方向に回転し、ピックアップ送り機構４のピックアップ送りギヤ４１が図中反時計方向に回転する。このピックアップ送りギヤ４１の回転により、リードスクリュー４３が回転し、光学ピックアップ４０を図７の（Ａ）に示すような最内周位置から外側に向かって移動させる。
【００６６】
（７）ディスク再生
以上のように最内周位置から移動を開始した光学ピックアップ４０が、図８の（Ａ）に示すような内周位置に達すると、内周検出素子等によるディスクドライブモータの駆動指令によってディスクドライブモータ９が起動してディスクの回転を開始する。この時点で、光学ピックアップ４０は、ディスクの信号記録領域のリードインエリアに記録されているＴＯＣ情報の読み込みを行う。
【００６７】
また、アイドラロックプレート４５は、このように光学ピックアップ４０が内周位置に移動することによって光学ピックアップ４０から解放され、スプリング４６の付勢力によってロック側に移動し、アイドラプレート１４のピン１４ａと係合してアイドラプレート１４をピックアップ送り位置にロックする。したがって、光学ピックアップ４０がこの内周位置またはこの内周位置より外側の位置にある状態では、アイドラプレート１４は、アイドラロックプレート４５によって、ピックアップ送り位置に確実にロックされる。
【００６８】
このようにして、ディスクの回転と光学ピックアップ４０の移動によって、光学ピックアップ４０が図８の（Ａ）に示す内周位置から図９の（Ａ）に示す最外周位置に至るまでの信号量に相当するディスク再生が可能となる。
【００６９】
［光学ピックアップの復帰・ディスクイジェクト動作］
ディスク再生後における、光学ピックアップの復帰動作とそれに続くディスクイジェクト動作は、ディスクドライブモータ９を起動させないことを除けば、基本的に、前述したディスクローディング・再生動作（１）〜（７）と反対の動作（図９から図１に至る動作）（７）´〜（１）´が行われる。
【００７０】
（７）´光学ピックアップの復帰開始
ディスク再生終了時におけるイジェクト操作等に基づくイジェクト指令によって、ローディングモータ１０が反転すると、このローディングモータ１０の駆動力によって、ウォームホイール１２が図中時計方向に回転し、ピックアップ送り機構４のピックアップ送りギヤ４１が図中時計方向に回転する。そのため、リードスクリュー４３がローディング時と逆方向に回転して、光学ピックアップ４０が外周位置から内側に向かって高速移動を開始する。
【００７１】
（６）´光学ピックアップの復帰完了
以上のように高速移動を開始した光学ピックアップ４０が、図８の（Ａ）に示すような内周位置に達すると、アイドラロックプレート４５によるアイドラプレート１４のロックが解放され始める。光学ピックアップ４０は、図７の（Ａ）に示すような最内周位置まで移動する際にアイドラロックプレート４５に係合して解除位置に移動させるため、アイドラプレート１４がアイドラロックプレート４５から解放される。
【００７２】
（５）´駆動切換
以上のように光学ピックアップ４０が最内周位置に達した後のウォームホイール１２の図中時計方向への回転に伴い、このウォームホイール１２とアイドラプレート１４の間のフリクションにより、アイドラプレート１４が図中時計方向へ回動し、そのピン１４ａがシフトプレート２５のロック孔２５ｄ内の逃げ部内を移動する。このアイドラプレート１４の回動に伴い、ピックアップ送り用アイドラギヤ１７がピックアップ送りギヤ４１から切り離される。そして、アイドラプレート１４が、ディスク呼び込み位置に達すると、図６の（Ａ）に示すように、切換制御用アイドラギヤ１５が切換制御ギヤ２１に噛み合うと共に、搬送ローラ駆動用アイドラギヤ１６が搬送ローラ駆動ギヤ３１に噛み合う。
【００７３】
（４）´チャッキング解除
以上のような駆動切換の結果、ローディングモータ１０の駆動力によるウォームホイール１２の図中時計方向への回転に伴い、ピニオン２３が回転し、ラックプレート２４とシフトプレート２５が、一体的に後退を開始する。このシフトプレート２５の後退に伴い、図５の（Ａ）に示すように、クランパロックプレート６がフローティングロック側への回動を開始して、図５の（Ｂ）に示すように、クランパ部材２６が上方のチャッキング解除位置に向かって回動し始める。
【００７４】
また、この時点では、図５の（Ａ）に示すように、アイドラプレート１４のピン１４ａがシフトプレート２５のロック孔２５ｄのロック部内に位置しているため、これ以降のシフトプレート２５の後退動作に亘って、アイドラプレート１４は、シフトプレート２５のロック孔２５ｄによってディスク呼び込み位置に保持される。なお、この時点では、図５の（Ｂ）に示すように、搬送ローラ部材３０が下方の解除位置にあり、その搬送ギヤ３０ｃが搬送ローラ駆動ギヤ３１から切り離されているため、搬送ローラが回転することはない。
【００７５】
（３）´フローティングロック・チャッキング解除完了
図５の状態からシフトプレート２５がさらに後退して動作ストロークのほぼ中間点に達すると、図４の（Ａ）に示すように、クランパロックプレート６がフローティングロック位置に達すると共に、クランパ部材２６が上方のチャッキング解除位置に達する。そして、この時点では、リンク機構２７の位置規制部２７ａ，２７ｃによってフローティングロックプレート７，８もフローティングロック側に回動を開始する。また、この時点においては、図４の（Ｂ）に示すように、搬送ローラ部材３０のピン３０ｂがシフトプレート２５の第１のカム孔２５ｂ内におけるカム部と逃げ部との切換点に達しているため、これ以降のシフトプレート２５の後退によって回動可能になっている。
【００７６】
図４の状態からシフトプレート２５がさらに後退して、初期位置の近傍まで復帰すると、図３の（Ａ）に示すように、フローティングロックプレート７，８がフローティングロック位置に達する。その結果、ベースプレート５上に構成されたメカニズムは、シャーシに対して定位置に固定される。また、この時点においては、図３の（Ａ）に示すように、搬送ローラ部材３０は、図示していないスプリングによってディスク当接側である上方に付勢されていることで、上方に回動を開始しており、その搬送ギヤ３０ｃが連結ギヤ３４と噛み合う。その結果、搬送ギヤ３０ｃと一体に動作する搬送ローラがイジェクト側（図中反時計方向）に回転を開始するが、この時点ではまだ、ディスクに当接していないため、ディスクが搬送されることはない。
【００７７】
（２）´シフトプレート停止・搬送ローラ当接
図２の（Ａ）に示すようにシフトプレート２５が初期位置に復帰した時点では、図２の（Ｂ）に示すように、搬送ローラ部材３０は、上方のディスク当接位置に達し、ディスクの搬送が可能な状態となる。なお、シフトプレート２５が初期位置に復帰した後も、ピニオン２３と噛み合っているラックプレート２４はシフトプレート２５に対して一定ストローク後退し、図１の（Ａ）に示すように、ピニオン２３から切り離される初期位置に復帰する。
【００７８】
（１）´ディスクの水平搬送
図２の（Ｂ）に示すように、搬送ローラ部材３０が上方のディスク当接位置に達した後は、搬送ローラのイジェクト側（図中反時計方向）への回転によって、ディスクがターンテーブルからディスク挿入口側に向かって水平搬送され、外部から取り出し可能な位置まで達する。この時点で、ディスク検出素子等によるローディングモータの停止指令によって、ローディングモータ１０が停止する。
【００７９】
［１−３．効果］
以上説明したように、本実施の形態によれば、本発明に係る選択機構１により、単一のローディングモータ１０の駆動力を利用して、切換制御機構２と搬送ローラ駆動機構３からなるディスク呼び込み機構と、ピックアップ送り機構４の両方を駆動することができるため、ディスク呼び込み機構とピックアップ送り機構を個別のモータによって駆動していた従来技術に比べて、確実に１個のモータを削減することができる。すなわち、ディスクドライブモータ９とローディングモータ１０という２つのモータを使用するだけで、メカニズム全体を駆動することができる。
【００８０】
また、切換制御機構２、搬送ローラ駆動機構３、およびピックアップ送り機構４という３つの機構に対して、個別のアイドラギヤ１５〜１７を使用することにより、これらのアイドラギヤ１５〜１７を、各機構に対して好都合な位置にそれぞれ配置することができるため、単一のアイドラギヤを各機構に連結するように構成する場合に比べて、設計の自由度を向上できるという利点もある。これに関連して、選択機構１は、ウォーム１１、ウォームホイール１２、アイドラプレート１４、および３個のアイドラギヤ１５〜１７からなる簡略な構成となっている。
【００８１】
このように、本実施の形態によれば、モータの支持部材や駆動力伝達部材を含めて部品点数を削減でき、構成を簡略化できると共に、占有スペースを縮小できる。また、モータ周辺の選択機構を含む部材の配置や設計の自由度を向上できると共に、モータに関連する電力供給用や制御用の配線も削減できる。したがって、メカニズム全体を小型・簡略化できると共に、１個のモータ分のコスト削減が可能となり、経済的にも有利である。
【００８２】
一方、ディスクローディング・イジェクト動作時においては、シフトプレート２５によってアイドラプレート１４をディスク呼び込み位置にロックして、切換制御機構２および搬送ローラ駆動機構３とローディングモータ１０との連結状態を確実に維持することができると共に、ディスク再生動作や光学ピックアップの復帰動作時においては、アイドラロックプレート４５によってアイドラプレート１４をピックアップ送り位置にロックして、ピックアップ送り機構４とローディングモータ１０との連結状態を確実に維持することができる。
【００８３】
したがって、動作途中においてアイドラプレート１４が誤動作することを防止できるため、動作信頼性に優れている。この場合、ディスク呼び込み用ロック手段として、切換制御部材であるシフトプレート２５を使用しているため、専用のロック部材を設ける場合に比べて、部品点数を削減でき、構成を簡略化できる。
【００８４】
さらに、シフトプレート２５がチャッキング完了位置に達した時点で、アイドラプレート１４のロックを確実に解除することができるため、切換制御機構２および搬送ローラ駆動機構３からピックアップ送り機構４への駆動切換を確実に行うことができる。また、光学ピックアップ４０が初期状態に復帰した時点で、この光学ピックアップ４０によってアイドラロックプレート４５を機械的に確実に解除側に移動させ、アイドラプレート１４のロックを解除することができるため、ピックアップ送り機構４から切換制御機構２および搬送ローラ駆動機構３への駆動切換を確実に行うことができる。
【００８５】
したがって、ディスクローディング動作から光学ピックアップの送り動作への移行を確実に行うことができると共に、光学ピックアップの復帰動作からディスクイジェクト動作への移行を確実に行うことができるため、この点からも動作信頼性に優れている。
【００８６】
［２．第２の実施の形態］
［２−１．構成］
図１０は、本発明を適用した第２の実施の形態に係るディスクプレーヤを示す図であり、特に、光学ピックアップの動作を利用した状態検出機構の初期状態を示す平面図である。なお、本実施の形態に係るディスクプレーヤの構成は、この状態検出機構を含めて、前記第１の実施の形態に係るディスクプレーヤと基本的に同様であるため、以下には、第１の実施の形態と異なる部分についてのみ説明する。
【００８７】
まず、図１０においては、ターンテーブル上に配置されたディスクのリードインエリア５０が示されている。そして、このリードインエリア５０に対する光学ピックアップ４０の動作に応じて光学ピックアップ４０の内周検出およびチャッキング完了検出の両方の検出を行うための検出スイッチ（検出素子）５１が設けられると共に、光学ピックアップ４０の一端には、検出スイッチ５１を押圧する押圧部４０ｂが設けられている。
【００８８】
ここで、検出スイッチ５１と押圧部４０ｂは、光学ピックアップ４０が、図１０に示すような最内周位置から図１１に示すような内周位置に至るまでの範囲内においては、検出スイッチ５１が押圧部４０ｂによって押圧され、光学ピックアップ４０が図１１に示すような内周位置よりも外側に移動した時点では検出スイッチ５１が押圧部４０ｂから解放されるように配置構成されている。また、これらの検出スイッチ５１と押圧部４０ｂの構成は、リードスクリュー（図１〜図９の４３）を保持するスクリューホルダ４０ｃと反対側に設けられている。
【００８９】
［２−２．作用］
以上のような構成を有する本実施の形態に係るディスクプレーヤにおいては、単一の検出スイッチ５１によって、チャッキング完了検出とピックアップ内周検出の両方の検出を行うことができる。このような検出動作について、以下に説明する。
【００９０】
まず、図１０に示すように、初期状態においては、光学ピックアップ４０はそのピックアップレンズ４０ａの中心がディスクのリードインエリア５０よりも内側となる最内周位置に位置しており、その押圧部４０ｂによって検出スイッチ５１を押圧している。また、この時点では、アイドラプレート１４は、図１〜図９に示したようなシフトプレート２５のロック孔２５ｄによってディスク呼び込み位置にロックされており、その一方で、アイドラロックプレート４５は、光学ピックアップ４０と係合して解除位置に保持されており、アイドラプレート１４をロックしていない。
【００９１】
そして、このような初期状態から、ディスクが挿入され、ディスク呼び込み位置にあるアイドラプレート１４上の切換制御用アイドラギヤ１５および搬送ローラ駆動用アイドラギヤ１６によってディスクローディング動作が行われ、ディスクがターンテーブル上にチャッキングされるまでの間、光学ピックアップ４０は、最内周位置に保持される。
【００９２】
この後、ディスクのターンテーブル上へのチャッキングを完了し、アイドラプレート１４が図中反時計方向側に回動して、図１１に示すようなピックアップ送り位置に達すると、ピックアップ送り用アイドラギヤ１７によって、光学ピックアップ４０が外側（図中右方向）への移動を開始する。そして、この光学ピックアップ４０が、図１１に示すように、そのピックアップレンズ４０ａの中心がディスクのリードインエリア５０に重なる内周位置まで移動した時点では、アイドラロックプレート４５が光学ピックアップ４０から解放されてスプリング４６の付勢力によりアイドラプレート１４のピン１４ａに係合し、アイドラプレート１４をピックアップ送り位置にロックする。
【００９３】
また、このような内周位置において、光学ピックアップ４０は、図１１に示すように、その押圧部４０ｂによって検出スイッチ５１を押圧しているが、さらに外側に移動した時点では、検出スイッチ５１から離れる。すなわち、図１２に示すように、ピックアップレンズ４０ａの中心がディスクのリードインエリア５０よりも外側に移動した時点では、その押圧部４０ｂは検出スイッチ５１から離れ、検出スイッチ５１を解放する。この動作によって検出スイッチ５１から発せられる信号により、チャッキング完了検出が行われる。
【００９４】
そして、このようなチャッキング完了検出に応じて、光学ピックアップ４０の動作方向を反転させて図１２に示すような内周位置よりも外側の位置から図１１１１に示すような内周位置に移動させる。その結果、一旦解放された検出スイッチ５１が再び光学ピックアップ４０の押圧部４０ｂによって押圧される。この動作によって検出スイッチ５１から発せられる信号により、ピックアップ内周検出が行われる。
【００９５】
さらに、このようなピックアップ内周検出に応じて、ディスクドライブモータ９を起動してディスクを回転させ、リードインエリア５０に記録されたＴＯＣ信号を光学ピックアップ４０によって読み取る。なお、この時点では、アイドラプレート１４は、アイドラロックプレート４５によってピックアップ送り位置にロックされているため、光学ピックアップ４０の駆動力伝達系統は維持されている。そして、ＴＯＣ信号の読み取り後、ディスクの回転と光学ピックアップ４０の移動によってディスク再生が行われる。
【００９６】
一方、イジェクト時においては、内側に向かって復帰する光学ピックアップ４０が内周位置に達した時点で、それまで解放状態にあった検出スイッチ５１が、光学ピックアップの押圧部４０ｂによって押圧されることで、ピックアップ内周検出が行われる。そして、光学ピックアップ４０は、この内周位置から内側に所定量移動して図１０に示すような最内周位置に達した時点で停止する。
【００９７】
［２−３．効果］
以上のように、本実施の形態によれば、光学ピックアップ４０の動作を利用することにより、単一の検出スイッチ５１でチャッキング完了検出とピックアップ内周検出の両方を行うことができる。これにより、それぞれの検出用として個別の検出素子を設けていた従来技術に比べて、検出素子の数を削減することができるため、検出素子用の配線も削減することができ、周辺の部材の配置や設計を容易に行うことができる。したがって、メカニズム全体の構成を簡略化できる。また、本実施の形態においては、光学ピックアップ４０の周辺でも比較的空きスペースのある、リードスクリューと反対側の領域に検出スイッチ５１を設けているため、検出スイッチ５１の配置の自由度が高い上、他の部材の配置や設計にほとんど影響を与えることがないという利点もある。
【００９８】
［３．第３の実施の形態］
［３−１．構成］
図１３は、本発明を適用した第３の実施の形態に係るディスクプレーヤを示す図であり、前記第１の実施の形態における駆動力伝達系統の構成を変更した場合の一つの実施の形態を示している。なお、図中においては、図面の簡略化の観点から、駆動側の主要な部材のみを示している。
【００９９】
この図１３に示すように、本実施の形態に係るディスクプレーヤにおいて、選択機構６０は、ディスク呼び込み機構７０とピックアップ送り機構４という２つの機構に対して、ローディングモータ１０の駆動力を選択的に伝達するように構成されている。すなわち、本実施の形態は、前記第１の実施の形態において、切換制御機構２と搬送ローラ駆動機構３とに分離していた駆動力伝達系統を、ディスク呼び込み機構７０という単一の駆動力伝達系統に統合すると共に、選択機構６０の構成を変更したものである。以下には、このような選択機構６０とディスク呼び出し機構７０の詳細な構成について説明する。
【０１００】
まず、選択機構６０においては、ローディングモータ１０のシャフトに設けられたウォーム１１に常時噛み合うウォームホイール６１ではなく、このウォームホイール６１に常時噛み合う駆動ギヤ６２と重なる位置に、この駆動ギヤ６２の軸６３に対して回動可能なアイドラプレート６４が設けられている。このアイドラプレート６４は、ほぼ逆Ｊ字形に形成されており、その直線側の先端で軸６３に取り付けられると共に、その中央部に単一のアイドラギヤ６５が取り付けられている。そして、アイドラプレート６４は、アイドラギヤ６５をディスク呼び込み機構７０に連結するディスク呼び込み位置と、アイドラギヤ６５をピックアップ送り機構４に連結するピックアップ送り位置との間で回動するようになっている。なお、アイドラプレート６４の湾曲部側の先端には、位置規制用のピン６４ａが取り付けられている。
【０１０１】
また、ディスク呼び込み機構７０においては、選択機構１のアイドラギヤ６５と噛み合い可能なディスク呼び込みギヤ７１が設けられており、このディスク呼び込みギヤ７１の回転駆動力は、第１の駆動力変換機構７２およびピニオン７３を介して、ラックプレート７４およびシフトプレート７５に伝達され、これらのプレート７４，７５を直線駆動するようになっている。
【０１０２】
なお、図中においては、シフトプレート７５に設けられたロック孔７５ａ内にアイドラプレート６４が挿入されている状態が示されているだけであり、その他の部材との係合関係は示されていないが、実際には、前記第１の実施の形態と同様のカム孔等が設けられ、シフトプレート７５の位置に応じて搬送ローラ部材やクランパ部材の切換制御を行うようになっている。一方、ディスク呼び込みギヤ７１の回転駆動力はまた、第２の駆動力変換機構７６を介してギヤ７７にも伝達され、このギヤ７７によって、図示していない搬送ローラの回転駆動力を提供するようになっている。
【０１０３】
さらに、ピックアップ送り機構４において、ピックアップ送りギヤ８１は、前記第１の実施の形態におけるピックアップ送りギヤ８１よりも大径の、一体化された大小のギヤから構成されている。そして、このピックアップ送りギヤ８１の水平方向の回転駆動力は、交差するギヤからなる駆動力変換機構８２を介して直交方向の回転駆動力に変換され、リードスクリュー４３に伝達されるようになっている。
【０１０４】
［３−２．作用・効果］
以上のような構成を有する本実施の形態においても、前記第１の実施の形態と同様に、単一のローディングモータ１０の駆動力によって、ディスク呼び込み機構７０とピックアップ送り機構４を駆動することができる。
【０１０５】
すなわち、ディスクローディング・イジェクト動作時においては、シフトプレート７５によってアイドラプレート６４をディスク呼び込み位置にロックして、ローディングモータ１０の駆動力によりディスク呼び込み機構７０を確実に駆動することができ、ディスク再生動作や光学ピックアップの復帰動作時においては、アイドラロックプレート４５によってアイドラプレート６４をピックアップ送り位置にロックして、ローディングモータ１０の駆動力によりピックアップ送り機構４を確実に駆動することができる。
【０１０６】
このような本実施の形態によれば、前記第１の実施の形態と同様に、ディスク呼び込み機構とピックアップ送り機構を個別のモータによって駆動していた従来技術に比べて、確実に１個のモータを削減することができるため、支持部材や駆動力伝達部材を含めて部品点数を削減でき、占有スペースを縮小できると共に、設計の自由度を向上でき、モータに関連する配線も削減できる。したがって、メカニズム全体を小型・簡略化できると共に、１個のモータ分のコスト削減が可能となり、経済的にも有利である。
【０１０７】
また、前記第１の実施の形態と同様に、各動作時においてアイドラプレート６４を所定の位置にロックすることにより、動作途中においてアイドラプレート６４が誤動作することを防止できるため、動作信頼性に優れている。この場合、ディスク呼び込み用ロック手段として、切換制御部材であるシフトプレート２５を使用しているため、専用のロック部材を設ける場合に比べて、部品点数を削減でき、構成を簡略化できる。さらに、ディスクローディング動作から光学ピックアップの送り動作への移行、および光学ピックアップの復帰動作からディスクイジェクト動作への移行を確実に行うことができるため、この点からも動作信頼性に優れている。
【０１０８】
［４．第４の実施の形態］
［４−１．構成］
図１４は、本発明を適用した第４の実施の形態に係るディスクプレーヤを示す図であり、特に、光学ピックアップの動作を利用した状態検出機構の初期状態を示す平面図である。なお、本実施の形態に係るディスクプレーヤの構成は、前記第３の実施の形態に係るディスクプレーヤと基本的に同様であり、また、状態検出機構の動作原理は、前記第２の実施の形態に係る状態検出機構と基本的に同様であるため、以下には、第２の実施の形態と異なる部分についてのみ説明する。
【０１０９】
この図１４に示すように、本実施の形態においては、第２の実施の形態とは逆に、光学ピックアップ４０のスクリューホルダ４０ｃ側に、検出スイッチ５２が設けられており、この検出スイッチ５２が、スクリューホルダ４０ｃの一部に突出して設けられたバネ部４０ｄによって押圧されるようになっている。
【０１１０】
そして、検出スイッチ５２とバネ部４０ｄは、前記第２の実施の形態と同様に、光学ピックアップ４０が、図１４に示すような最内周位置から内周位置に至るまでの範囲内においては、検出スイッチ５２がバネ部４０ｄによって押圧され、光学ピックアップ４０が内周位置よりも外側に移動した時点では検出スイッチ５１がバネ部４０ｄから解放されるように配置構成されている。
【０１１１】
［４−２．作用・効果］
以上のような構成を有する本実施の形態においても、前記第２の実施の形態と同様に、光学ピックアップ４０が最内周位置にある際には、検出スイッチ５２が光学ピックアップ４０のバネ部４０ｄによって押圧されており、光学ピックアップ４０がこの最内周位置から内周位置を経てこの内周位置よりも外側の位置に移動する時点で、検出スイッチ５２が解放され、チャッキング完了検出が行われる。そして、このチャッキング完了検出に応じて、光学ピックアップ４０が反転して内周位置に移動する際に、一旦解放された検出スイッチ５２が再び光学ピックアップ４０のバネ部４０ｄによって押圧され、ピックアップ内周検出が行われる。
【０１１２】
このような本実施の形態によれば、前記第２の実施の形態と同様に、光学ピックアップ４０の動作を利用することにより、単一の検出スイッチ５２でチャッキング完了検出とピックアップ内周検出の両方を行うことができる。したがって、個別の検出素子を設けていた従来技術に比べて検出素子の数を削減し、検出素子用の配線を削減することができ、周辺の部材の配置や設計を容易に行うことができるため、メカニズム全体の構成を簡略化できる。
【０１１３】
［５．他の実施の形態］
なお、本発明は、前記各実施の形態に限定されるものではなく、本発明の範囲内で他にも多種多様な形態を実施可能である。例えば、アイドラギヤの数や配置を含む具体的な選択機構の構成や、この選択機構からディスク呼び込み機構やピックアップ送り機構に至る駆動力伝達系統の構成は適宜選択可能である。また、アイドラプレートをロックするためのロック手段の具体的な構成や、検出素子を含めた状態検出機構の具体的な構成等も適宜選択可能である。そしてまた、ディスク呼び込み機構やピックアップ送り機構の具体的な構成も適宜選択可能である。
【０１１４】
さらに言及すれば、本発明は、ＣＤ、ＭＤ、ＬＤ、ＤＶＤ等を含む光ディスクの中から選択された１種類あるいは複数種類の光ディスクを対象とする各種のディスクプレーヤに適用可能であり、いずれの場合にも、上記のような優れた効果がえられるものである。
【図面の簡単な説明】
【０１１５】
【図１】本発明を適用した第１の実施の形態に係るディスクプレーヤの初期状態を示す図であり、（Ａ）は平面図、（Ｂ）は側面図である。
【図２】図１のディスクプレーヤにおいて、図１の初期状態からラックプレートがピニオンと噛み合い、シフトプレートの動作を開始する際の状態を示す図であり、（Ａ）は平面図、（Ｂ）は側面図である。
【図３】図１のディスクプレーヤにおいて、図２の状態からのシフトプレートの前進により搬送ローラの解除動作を開始した状態を示す図であり、（Ａ）は平面図、（Ｂ）は側面図である。
【図４】図１のディスクプレーヤにおいて、図３の状態からのシフトプレートの前進によりフローティングロックの解除動作を開始した状態を示す図であり、（Ａ）は平面図、（Ｂ）は側面図である。
【図５】図１のディスクプレーヤにおいて、図４の状態からのシフトプレートの前進によりチャッキング動作を開始した状態を示す図であり、（Ａ）は平面図、（Ｂ）は側面図である。
【図６】図１のディスクプレーヤにおいて、図５の状態からシフトプレートが最前位置に達してチャッキング動作を完了した状態を示す図であり、（Ａ）は平面図、（Ｂ）は側面図である。
【図７】図１のディスクプレーヤにおいて、図６の状態からアイドラプレートがピックアップ送り位置に回動して駆動切換を行った状態を示す図であり、（Ａ）は平面図、（Ｂ）は側面図である。
【図８】図１のディスクプレーヤにおいて、図７の状態から光学ピックアップが移動して内周位置に達した状態を示す図であり、（Ａ）は平面図、（Ｂ）は側面図である。
【図９】図１のディスクプレーヤにおいて、図８の状態からディスク再生を行った後、光学ピックアップが最外周位置に達した状態を示す図であり、（Ａ）は平面図、（Ｂ）は側面図である。
【図１０】本発明を適用した第２の実施の形態に係るディスクプレーヤを示す図であり、特に、光学ピックアップの動作を利用した状態検出機構の初期状態を示す平面図である。
【図１１】図１０のディスクプレーヤにおいて、光学ピックアップが内周位置に達した状態を示す平面図である。
【図１２】図１０のディスクプレーヤにおいて、光学ピックアップが内周位置より外側の位置に達した状態を示す平面図である。
【図１３】本発明を適用した第３の実施の形態に係るディスクプレーヤを示す図である。
【図１４】本発明を適用した第４の実施の形態に係るディスクプレーヤを示す図である。
【符号の説明】
【０１１６】
１...選択機構
２...切換制御機構
３...搬送ローラ駆動機構
４...ピックアップ送り機構
５...ベースプレート
６...クランパロックプレート
６ａ...軸
６ｂ...ピン
７，８...フローティングロックプレート
９...ディスクドライブモータ
１０...ローディングモータ
１１...ウォーム
１２...ウォームホイール
１３...軸
１４...アイドラプレート
１４ａ...ピン
１５...切換制御用アイドラギヤ
１６...搬送ローラ駆動用アイドラギヤ
１７...ピックアップ送り用アイドラギヤ
２１...切換制御ギヤ
２２...駆動力変換機構
２３...ピニオン
２４...ラックプレート
２４ａ...ガイド溝
２４ｂ...スプリング
２４ｃ...トリガ係合部
２５...シフトプレート
２５ａ...ピン
２５ｂ...第１のカム孔
２５ｃ...第２のカム孔
２５ｄ...ロック孔
２６...クランパ部材
２６ａ...軸
２７...リンク機構
２７ａ〜２７ｄ...位置規制部
２８...サブシフトプレート
３０...搬送ローラ部材
３０ａ...軸
３０ｂ...ピン
３０ｃ...搬送ギヤ
３１...搬送ローラ駆動ギヤ
３２...駆動力変換機構
３３...ギヤ
３４...連結ギヤ
４０...光学ピックアップ
４０ａ...ピックアップレンズ
４０ｂ...押圧部
４０ｃ...スクリューホルダ
４０ｄ...バネ部
４１...ピックアップ送りギヤ
４２...駆動力変換機構
４３...リードスクリュー
４４...スライドガイド
４５...アイドラロックプレート
４６...スプリング
５０...リードインエリア
５１，５２...検出スイッチ
６０...選択機構
６１...ウォームホイール
６２...駆動ギヤ
６３...軸
６４...アイドラプレート
６４ａ...ピン
６５...アイドラギヤ
７０...ディスク呼び込み機構
７１...ディスク呼び込みギヤ
７２...第１の駆動力変換機構
７３...ピニオン
７４...ラックプレート
７５...シフトプレート
７５ａ...ロック孔
７６...第２の駆動力変換機構
７７...ギヤ
８１...ピックアップ送りギヤ
８２...駆動力変換機構
【図１】
2006127753.tif 000003
【図２】
2006127753.tif 000004
【図３】
2006127753.tif 000005
【図４】
2006127753.tif 000006
【図５】
2006127753.tif 000007
【図６】
2006127753.tif 000008
【図７】
2006127753.tif 000009
【図８】
2006127753.tif 000010
【図９】
2006127753.tif 000011
【図１０】
2006127753.tif 000012
【図１１】
2006127753.tif 000013
【図１２】
2006127753.tif 000014
【図１３】
2006127753.tif 000015
【図１４】
2006127753.tif 000016
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
ターンテーブル上でディスクを回転駆動するディスク回転機構と、ディスクをディスク駆動部のターンテーブル上まで呼び込むディスク呼び込み機構と、光ディスク信号を読み取る光学ピックアップをディスクの半径方向に移動させるピックアップ送り機構を備えたディスクプレーヤにおいて、
単一の駆動源からの駆動力を前記ディスク呼び込み機構と前記ピックアップ送り機構に対して選択的に伝達する選択機構を有し、
前記選択機構は、前記駆動源と常時連結され、駆動源からの駆動力によって回転する駆動ギヤと、前記駆動ギヤとの間に生じるフリクションにより駆動ギヤの回転方向に応じてディスク呼び込み位置とピックアップ送り位置との間で回動する選択部材と、前記駆動ギヤと常時連結されるようにして前記選択部材に取り付けられ、前記選択部材の回動に応じて前記駆動ギヤに対して旋回し、前記選択部材が前記ディスク呼び込み位置にある場合には、前記ディスク呼び込み機構と連結することにより前記ディスク呼び込み機構に前記駆動源の駆動力を伝達し、前記選択部材が前記ピックアップ送り位置にある場合には、前記ピックアップ送り機構と連結することにより前記ピックアップ送り機構に前記駆動源の駆動力を伝達するアイドラギヤを有し、
前記ピックアップ送り機構は、ピックアップ送り動作時に前記選択部材を前記ピックアップ送り位置にロックするピックアップ送り用ロック手段を有し、
前記ディスク呼び込み機構は、ディスク呼び込み動作時に前記選択部材を前記ディスク呼び込み位置にロックするディスク呼び込み用ロック手段を有し、
前記ディスク呼び込み用ロック手段は、前記ディスク呼び込み機構を構成する動作部材の一部に設けられ、前記動作部材の動作方向に形成された孔であるロック部を有し、
前記選択部材は、前記動作部材とともに前記ロック部が動作中は前記選択部材を前記ディスク呼び込み位置にロックして、前記動作部材が動作完了位置に達した場合にロックが解除されるように、前記ロック部に挿入されたピンを有することを特徴とするディスクプレーヤ。
【請求項２】
前記光学ピックアップは、前記ディスク呼び込み機構の動作時にディスクの情報記録領域の内周側の光ディスク信号を読み取り可能な内周位置よりも内側の最内周位置に位置するように構成され、この最内周位置にある場合には前記ピックアップ送り用ロック手段をロック解除側に保持し、前記内周位置およびこの内周位置よりも外側にある場合にはピックアップ送り用ロック手段を解放して、このピックアップ送り用ロック手段により選択部材をピックアップ送り位置にロックさせるように構成されたことを特徴とする請求項１記載のディスクプレーヤ。
【請求項３】
前記光学ピックアップがディスクの情報記録領域の内周側の光ディスク信号を読み取り可能な内周位置にあることを検出すると共に、光学ピックアップの動作を利用して前記ターンテーブル上へのディスクのチャッキング完了を検出するように構成された検出素子を有することを特徴とする請求項１記載のディスクプレーヤ。
【請求項４】
前記光学ピックアップは、前記ディスク呼び込み機構の動作時に前記内周位置よりも内側の最内周位置に位置するように構成され、
前記検出素子は、前記ディスク呼び込み機構の動作終了後に前記光学ピックアップが前記最内周位置から外側に向かって移動して前記内周位置よりも外側の位置まで達する際にディスクのチャッキング完了を検出し、前記光学ピックアップがディスクの内側に向かって移動して前記内周位置に達する際にこの光学ピックアップが内周位置にあることを検出するように構成されたことを特徴とする請求項３記載のディスクプレーヤ。
【請求項５】
前記光学ピックアップは、前記最内周位置にある場合には前記ピックアップ送り用ロック手段をロック解除側に保持し、前記内周位置およびこの内周位置よりも外側にある場合にはピックアップ送り用ロック手段を解放して、このピックアップ送り用ロック手段により前記選択部材を前記ピックアップ送り位置にロックさせるように構成されたことを特徴とする請求項４記載のディスクプレーヤ。
【請求項６】
前記検出素子は、前記光学ピックアップが前記最内周位置から前記内周位置までの範囲内にある場合に光学ピックアップによって押圧され、光学ピックアップが内周位置よりも外側に移動した場合に光学ピックアップから離れるように配置された検出スイッチであることを特徴とする請求項４記載のディスクプレーヤ。
【請求項７】
前記ピックアップ送り機構は、前記光学ピックアップの一端に係合して光学ピックアップを直線駆動するリードスクリューを有し、
前記検出素子は、前記光学ピックアップに対して前記リードスクリューと反対側に配置されたことを特徴とする請求項３記載のディスクプレーヤ。
【請求項８】
前記アイドラギヤは、前記選択部材が前記ディスク呼び込み位置にある場合に前記ディスク呼び込み機構と連結するディスク呼び込み用アイドラギヤと、
前記ディスク呼び込み用アイドラギヤと別に設けられ、前記選択部材が前記ピックアップ送り位置にある場合に前記ピックアップ送りギヤと連結するピックアップ送り用アイドラギヤを含むことを特徴とする請求項１記載のディスクプレーヤ。
【手続補正２】
【補正対象書類名】明細書
【補正対象項目名】００１６
【補正方法】変更
【補正の内容】
【００１６】
また、請求項１記載の発明は、選択機構、ディスク呼び込み機構、およびピックアップ送り機構が次のように構成されたことを特徴としている。まず、選択機構は、駆動源と常時連結され、駆動源からの駆動力によって回転する駆動ギヤと、駆動ギヤとの間に生じるフリクションにより駆動ギヤの回転方向に応じてディスク呼び込み位置とピックアップ送り位置との間で回動する選択部材と、駆動ギヤと常時連結されるようにして選択部材に取り付けられ、選択部材の回動に応じて駆動ギヤに対して旋回し、選択部材がディスク呼び込み位置にある場合にはディスク呼び込み機構と連結することによりディスク呼び込み機構に駆動源の駆動力を伝達し、選択部材がピックアップ送り位置にある場合にはピックアップ送り機構と連結することによりピックアップ送り機構に駆動源の駆動力を伝達するアイドラギヤを有する。
そして、ディスク呼び込み機構は、ディスク呼び込み動作時に選択部材をディスク呼び込み位置にロックするディスク呼び込み用ロック手段を有し、ピックアップ送り機構は、ピックアップ送り動作時に選択部材をピックアップ送り位置にロックするピックアップ送り用ロック手段を有する。
この構成によれば、ディスクローディング・イジェクト動作時においては、ディスク呼び込み用ロック手段によって選択部材をディスク呼び込み位置にロックしてディスク呼び込み機構と駆動側との連結状態を確実に維持することができ、ディスク再生動作や光学ピックアップの復帰動作時においては、ピックアップ送り用ロック手段によって選択部材をピックアップ送り位置にロックしてピックアップ送り機構と駆動側との連結状態を確実に維持することができる。
また、駆動ギヤ、選択部材、およびアイドラギヤを使用した簡単な構成により、選択部材の位置を切り換えることにより、その位置に応じて、ディスク呼び込み機構とピックアップ送り機構のいずれか一方を駆動源に確実に連結することができる。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】変更
【補正の内容】
【００２５】
請求項８記載の発明は、請求項１記載のディスクプレーヤにおいて、アイドラギヤが、次のようなディスク呼び込み用アイドラギヤとピックアップ送り用アイドラギヤを含むことを特徴としている。まず、ディスク呼び込み用アイドラギヤは、選択部材がディスク呼び込み位置にある場合にディスク呼び込み機構と連結するように構成される。そして、ピックアップ送り用アイドラギヤは、ディスク呼び込み用アイドラギヤと別に設けられ、選択部材がピックアップ送り位置にある場合にピックアップ送りギヤと連結するように構成される。この構成によれば、ディスク呼び込み機構とピックアップ送り機構に対して、それぞれ好都合な位置に個別のアイドラギヤを配置することができるため、設計の自由度を向上できる。